(57)【要約】【課題】空気調和機のファンユニットの運転状態を一目で視認可能とする。【解決手段】本体ユニット２と、本体ユニット２の両側に回動可能に取り付けられた１対のファンユニット５０、５１とからなる空気調和機１で、ファンユニット５０、５１は本体ユニット２に取り付けられた面とは逆側の面に複数の平行な桟を備えた補助吸込口と前面側に補助吹出口とを備え、ファンユニット５０、５１が運転停止状態の時に桟８３は縦方向に延び、左右方向へ平行に複数配置されて形成される。またファンユニット５０、５１は運転停止状態から下方へ回動可能となり、補助吸込口５７はファンユニット５の回動に合わせ回転する。【選択図】図７
2014126243.tif 000002
【特許請求の範囲】
【請求項１】
本体ユニットと、前記本体ユニットの両側に回動可能に取り付けられた１対のファンユニットとからなり、前記ファンユニットは前記本体ユニットに取り付けられた面とは逆側の面に複数の平行な桟を備えた補助吸込口と前面側に補助吹出口とを備えた空気調和機であって、
前記空気調和機が運転停止状態の時に前記ファンユニットの補助吸込口に備えた前記桟は縦方向に延びる位置に配置されていることを特徴とする空気調和機。
【請求項２】
前記ファンユニットは運転停止状態から下方へ回動可能となり、前記補助吸込口は前記ファンユニットの回動に合わせ回転することを特徴とする請求項１に記載の空気調和機。
【請求項３】
前記補助吸込口は前記桟の内側に着脱自在のフィルタを備え、前記フィルタを引き出す把手は前記桟の外周と合わせ円盤状となるように形成されていることを特徴とする請求項１または２に記載の空気調和機。
【発明の詳細な説明】
【技術分野】
【０００１】
本発明は空気調和機の形状に関する。
【背景技術】
【０００２】
空気調和機の本体の左右に補助送風機を備えたものに、下記の特許文献１がある。特許文献１の壁掛型の空気調和機（エアーコンディショナー）１００は、図１３（Ａ）に示すように空気調和機本体１０１から吹き出された冷気あるいは暖気を空調室へ均等に行き渡らせるために空気調和機本体１０１の両端に室内空気用サーキュレーター１０２を備えたものがある。空気調和機１００は、運転時には図１３（Ｂ）に示すように、空気調和機本体１０１下部に備えた風向板１０３が上下に回動するとともに、室内空気用サーキュレーター１０２に上下を軸支された補助風向板１０４が左右に回動し、冷気あるいは暖気を空調室へ均等に行き渡らせる。（特許文献１参照）
【先行技術文献】
【特許文献】
【０００３】
【特許文献１】登録意匠第１３４７４６３号公報
【発明の概要】
【発明が解決しようとする課題】
【０００４】
特許文献１の補助風向板１０４は室内空気用サーキュレーター１０２の前端と後端にそれぞれ設けられた縦に細い短冊形であり、運転時でも回動している状態が在室者には分かりにくい。そこで在室者は近づいて運転状態を確認したり、リモコンで運転状態を確認しなくてはいけない。
【０００５】
本発明は、空気調和機本体の両端に取り付けたファンユニットの回動に合わせファンユニットの補助吸込口が回転することで、ファンユニットの回転位置が一目で視認でき、且つファンユニットの補助吸込口に取り付けたフィルタの美感を向上させることができる空気調和機を提供する。
【課題を解決するための手段】
【０００６】
本発明は、本体ユニットと、前記本体ユニットの両側に回動可能に取り付けられた１対のファンユニットとからなり、前記ファンユニットは前記本体ユニットに取り付けられた面とは逆側の面に複数の平行な桟を備えた補助吸込口と前面側に補助吹出口とを備えた空気調和機であって、
前記空気調和機が運転停止状態の時に前記ファンユニットの補助吸込口に備えた前記桟は縦方向に延びる位置に配置されていることを特徴とする。
【０００７】
また、前記ファンユニットは運転停止状態から下方へ回動可能となり、前記補助吸込口は前記ファンユニットの回動に合わせ回転することを特徴とする。
【０００８】
さらに、前記補助吸込口は前記桟の内側に着脱自在のフィルタを備え、前記フィルタを引き出す把手は前記桟の外周と合わせ円盤状となるように形成されていることを特徴とする。
【発明の効果】
【０００９】
以上のように、本体ユニットの両側に回動可能に取り付けられたファンユニットが複数の桟を備えた補助吸込口を備え、ファンユニットの回動に合わせ補助吸込口が回転することで桟の角度の変化でファンユニットの回転位置が一目で視認でき、且つ、ファンユニットの補助吸込口に取り付けたフィルタを引き出す把手が桟の外周と合わせて円盤状となるように形成されたことでフィルタの把手が表面に表れても目立たずに美感を向上させることができる空気調和機となる。
【図面の簡単な説明】
【００１０】
【図１】本発明の室内機の運転停止状態の外観斜視図である。
【図２】室内機の中央部の垂直断面図である。
【図３】室内機の一部を分解した図である。
【図４】吸込グリルの手掛け部の垂直断面図で（Ａ）は吸込グリルが閉じている状態を示す図で、（Ｂ）は吸込グリルが開いている状態を示す図である。
【図５】室内機の運転状態の外観斜視図である。
【図６】ファンユニットの分解斜視図である。
【図７】室内機の右側面図である。
【図８】ラックおよび駆動ギアを概略的に示すファンケースの分解図である。
【図９】ファンユニットの垂直断面図で（Ａ）はファンユニットの水平状態を示す図で、（Ｂ）はファンユニットを３０度回転させた状態を示す図で、（Ｃ）はファンユニットを６０度回転させた状態を示す図である。
【図１０】ファンユニットの水平断面図である。
【図１１】室内機の運転状態の右側面図である。
【図１２】（Ａ）は冷房運転時に気流の一具体例を示す概念図で、（Ｂ）は暖房運転時に気流の一具体例を示す概念図である。
【図１３】従来例の空気調和機の図で、（Ａ）は運転停止状態を示す図で、（Ｂ）は運転状態を示す図である。
【発明を実施するための形態】
【００１１】
以下、本発明の実施の形態を、添付図面に基づいた実施例として詳細に説明する。
【実施例１】
【００１２】
図１は本発明の空気調和機の室内機１の外観斜視図であり、図２は室内機１の中央部の垂直断面図であり、図３は室内機の一部を分解した図である。本発明の室内機１は、主に空調室の天井近くの壁面に取り付けられ、図１乃至図３に示すように本体ユニット２と本体ユニット２の左右端に設けた１対のファンユニット５０、５１とからなる。本体ユニット２は空調室の室内空気を吸い込み冷媒と熱交換をして冷気または暖気にして空調室に吹き出し、ファンユニット５０、５１は室内空気を吸い込んで当該室内空気を空調室に吹き出す。
【００１３】
＜本体ユニット＞
本体ユニット２は横長の矩形状であり、内部には本体と平行に横長のクロスローファンタイプの第１送風ファン２０と第１送風ファン２０の周囲を囲む熱交換器２１を備える。第１送風ファン２０は本体ユニット２の片側で第１ファンモータ２２に軸支される。第１ファンモータ２２と熱交換器２１は、ケーシング２３に支えられ、ケーシング２３は後述する吸込口２４と吹出口２５を結ぶ送風路２６を形成する。
本体ユニット２の外郭は熱交換器２１の前面側と天面を覆うメインフレーム２７と、送風路２６の出口である吹出口２５に取り付けられ運転停止時は吹出口２５を塞ぐ上風向板２８ａと下風向板２８ｂからなる風向板２８と、下風向板２８ｂよりも底面でケーシング２３を塞ぐ底板２９と、メインフレーム２７の前面に覆い被さる前面パネル３０で構成される。前面パネル３０の前面は着脱自在で表面がフラット状の吸込グリル３１で覆われる。メインフレーム２７に設けた開口と前面パネル３０と吸込グリル３１の上端に設けた隙間が吸込口２４となる。
【００１４】
尚、図３において室内機１の前面パネル３０のある面を前面とし、前面の対面を背面とし、ケーシング２３が視認される面を右側面とし、右側面の対面を左側面として以下説明する。
【００１５】
本体ユニット２は図２に示すように高さＨよりも奥行きＤの幅が広く、背面側から前方の吸込グリル３１に向かい徐々に細くなってゆく略台形形状をなす。
本体ユニット２は第１ファンモータ２２の回動により第１送風ファン２０が回転することで吸込口２４から取り入れられた室内空気を、熱交換器２１で冷媒と熱交換して冷気または暖気に換え送風路２６を通過して吹出口２５から上風向板２８ａと下風向板２８ｂで風向調整をして空調室に吹き出す。
【００１６】
＜側面カバー＞
本体ユニット２の両端部には、図３に示すようにそれぞれ側面カバー４０、４１を備える。側面カバー４０、４１は本体ユニット２の側面の外郭を構成するとともにファンユニット５０、５１を収容する。側面カバー４０、４１は本体ユニット２の右側面となる側面カバー４０と、本体ユニット２の左側面となる側面カバー４１があり、側面カバー４０と左側面カバー４１は略対称形であるため、ここでは側面カバー４０について説明する。
側面カバー４０は、本体ユニット２のメインフレーム２７の天井と同一面で水平方向に延出するように形成された天面部４２と、風向板２８および底板２９と同一面で水平方向に延出するように形成された下面部４３と、前面パネル３０の側面３０ａの端に取り付けられ側面３０ａと同一面になり本体ユニット２の側面を塞ぐ壁面部４４と、天面部４２と底面部４３を結んだ垂直面に設けられた外壁面部４５と、壁面部４４から立ち上げて外壁面部４５の内側に結合した内壁部４６とからなり、壁面部４４と外壁面部４５と内壁部４６によりできる空間がファンユニット取付部４７となる。
【００１７】
＜手掛け部＞
本体ユニット２は、図２に示すように前面パネル３０の上部に本体ユニット用フィルタ３２を備える。本体ユニット用フィルタ３２は定期的に前面パネル３０から外して清掃が必要となる。本体ユニット用フィルタ３２は吸込グリル３１の下端を開放してできた隙間から手を差し込んで引き出す。
吸込グリル３１は、吸込グリル３１を開閉するために手掛け部３１０が、図１と図４（Ａ）に示すように吸込グリル３１の前面側下端の左右端に備えられる。室内機１が運転停止状態では本体ユニット２とファンユニット５０、５１は底面が同一面となるように構成されているため、手掛け部３１０はファンユニット５０、５１よりも下方に向けて突出させる。また、手掛け部３１０は吸込グリル３１の下端に沿った板状に形成する。これにより手掛け部３１０が視認されやすくなる。また、手掛け部３１０を吸込グリル３１の変形しやすい下端の左右端に設けることで、吸込グリル３１の角部にリブを設けたことになり強度を増し変形を防ぐことができる。
【００１８】
吸込グリル３１は図４（Ａ）に示すように裏面の上部で両端にアーム部３１１を備える。アーム部３１１の先端には支軸３１２を備える。前面パネル３０は、支軸３１２を軸支するアーム取付部３０ｂを備える。次に図４（Ｂ）に示すように、手掛け部３１０を指で上方に押し上げると、支軸３１２を中心としてアーム部３１１が回動し吸込グリル３１が押し上げられることで本体ユニット用フィルタ３２が引き出せる。
【００１９】
＜ファンユニット＞
ファンユニット５０、５１は、本体ユニット２の右側面に取り付けられるファンユニット５０と、本体ユニット２の左側面に取り付けられるファンユニット５１の一対のファンユニット５０、５１で構成される。ファンユニット５０とファンユニット５１は対称形であるため、ここではファンユニット５０を説明する。
ファンユニット５０は図３に示すように本体ユニット２に対して回動自在に本体ユニット２の側面カバー４０の壁面部４４に支持される。ここではファンユニット５０は本体ユニット２の壁面部４４に交差し、後述する第２ファンモータ６１の駆動軸６１ａ線上に合わせた仮想の回転軸回りで図５に示すように回転することができる。本実施例においてファンユニット５０の回転軸は水平軸線５２とする。
【００２０】
ファンユニット５０の外郭は、図３と図６に示すように側面カバー４０に収容された際に外壁面部４５側を形成する第１ファンケース５４と壁面部４４側を形成する第２ファンケース５５の組合せでなるファンケース５３と、第２ファンケース５５を回動自在に支持して後述する第２ファンモータ６１を固定して側面カバー４０の壁面部４４にネジで固定されるモータ取付板５６と、第１ファンケース５４の右側面、つまりファンユニット５０が本体ユニット２に取り付けられた面とは逆側になる面に設けられた補助吸込口５７と、第１ファンケース５４と第２ファンケース５５の前面の合わせ面に設けられた補助吹出口５９を構成する補助吹出口カバー６０と補助吹出口５９内に設けられた補助風向板７８で形成される。
ファンユニット５０の外郭の形状は、空気調和機１の運転停止状態の時に本体ユニット２と一体に見えるように、図１と図７に示すように吸込グリル３１と補助吹出口カバー６０の前面を同一面となる位置に配置し、第１ファンケース５４の天面はメインフレーム２７と同一面となる位置に配置し、第１ファンケース５４の底面は風向板２８および底板２９と同一面となる位置に配置し、背面側から前方に向かい徐々に細くなる略台形形状となる。
この時にファンユニット５０の後方は側面カバー４０で覆われている。
側面カバー４０の天面部４２は、本体ユニット２のメインフレーム２７の天面と同じ奥行を有して、外壁面部４５に繋がる。外壁面４５は天面部４２の前端４２ａから背面側に傾斜する仮想直線７５を設ける。仮想直線４８は底面部４３の前端４３ａと連結する。また、外壁面部４５の仮想直線４８上の一部は後述する補助吸込口部８１の円盤状の凸面に合わせて半円形４９ａに切り取られ仮想直線４８と半円形４９ａとを繋いで前面端部４９とする。これにより、ファンユニット５０は空気調和機１の運転停止状態の時には前方と補助吸込口５７だけが視認される。また、ファンユニット５０の補助吸込口部８１側の面と側面カバー４０の前面端部４９の隙間は補助吸込口部８１の円盤状の凸面で塞がれて、空調室の在室者からは殆ど視認されない。
尚、図７において水平軸線５２の位置、即ち後述する第２ファンモータ６１の駆動軸６１ａの位置は、後述する第２送風ファン３６および第２送風ファン３６の送風路７０が形成でき、ファンユニット５０が側面カバー４のファンユニット取付部４７の内部で回転できる位置とする。
【００２１】
ファンケース５３の内部には、図６に示すように、モータ取付板５６と第２ファンモータ６１とモータケース６２と第２送風ファン６３とファンケーシング６４が水平軸線５２上に重なって構成される。
【００２２】
＜第２ファンモータ＞
第２ファンモータ６１はモータ取付板５６を介して側面カバー４０の壁面部４４に固定される。第２ファンモータ６１から駆動軸６１ａが突出し、駆動軸６１ａの軸心が水平軸線５２と同一線となる。駆動軸６１ａは第２送風ファン６３に接続され、第２送風ファン６３を回転させる。
【００２３】
＜モータケース＞
モータケース６２は、難燃樹脂材により円盤型の皿部６２ａとドーム状の突出部６２ｂで形成され、突出部６２ｂ内には第２ファンモータ６１が収容される。第２ファンモータ６１の駆動軸６１ａはモータケース６２を貫通してファンケーシング側に突き出る。
皿部６２ａの第２ファンモータ６１側の面には、図８に示すように水平軸線５２回りで中心角７２度の間隔で等間隔に配置された複数のローラー６５を備える。ローラー６５はローラー軸心６５ａとローラー軸心６５ａの周囲を回転する円柱体６５ｂからなる。ローラー軸心６５ａはモータケース６２に固定され、円柱体６５ｂの回転によりファンユニット５０が回動可能となる。
【００２４】
＜第２送風ファン＞
第２送風ファン６３は、円柱状の周囲に羽根を備え中央部がドーム状でありドーム内にモータケース６２を当接する、所謂シロッコファンが用いられる。第２送風ファン６３は第２ファンモータ６１の駆動により、図９（Ａ）のように時計軸回りに回転し、室内空気Ｓを補助吸込口５７から吸い込み補助吹出口５９から吹き出す。
【００２５】
＜ファンケーシング＞
ファンケーシング６４は、図６と図１０に示すように第１ファンケーシング６６と第２ファンケーシング６７を合わせて構成され第２送風ファン６３の送風路７０を形成する。
【００２６】
＜第１ファンケーシング＞
第１ファンケーシング６６は、第１ファンケース５４に固定する取付部６８と、モータケース６２を嵌入し水平線軸５２を同心とする円形で開口された開口部６９と、開口部６９の周囲から立設される第２送風ファン６３の周囲を囲む送風壁７１とからなる。
また、図８に示すように開口部６９のモータケース６２側の面には円筒部７２が立ちあがる。この円筒部７２にはモータケース６２に備えられた複数のローラー６５が内接する。
円筒部７２の円周の約１／４の部分にはラック７３が形成される。ラック７３は水平軸線５２に沿った方向にローラー６５からずれた位置で円筒部７２上に配置されて水平軸線５２に同心に延びる。ラック７３には駆動ギア７４が噛み合う。駆動ギア７４はモータ取付板５６に水平軸線５２に平行に駆動軸を備えた駆動モータ７５に接続され、駆動モータ７５の回転に合わせた駆動ギア７４の回転に応じて水平軸線５２回りで円筒部７２が回転し、円筒部７２の回転を複数のローラー６５が補助することで、ファンユニット５０が回転することができる。
送風壁７１は、図９（Ａ）に示すように第２送風ファン６３の回転方向で、吸い込まれた室内空気Ｓが壁に沿って流れるように徐々に広がる。
【００２７】
＜第２ファンケーシング＞
図６に示す第２ファンケーシング６７は第１ファンケーシング６６の送風壁７１を覆い内部に第２送風ファン６３を収容する蓋の役割を成し、補助吸込口５７に重なる開口部６７ａとフィルタ９０のガイド部６７ｂを備え、第１ファンケーシング６６と係合して送風路７０を形成する。
第２ファンモータ６１の駆動により第２送風ファン６３が回転すると、補助吸込口５７から室内空気Ｓは取り込まれる。第２送風ファン６３は全周にわたって遠心方向に室内空気Ｓを押し出す。こうして押し出された室内空気Ｓは送風路７０を伝って補助吹出口５９から吹き出される。
【００２８】
第１ファンケース５４と第２ファンケース５５はファンケーシング６４を覆うように連結される。第２ファンケーシング６７の開口部６７ａは第１ファンケース５４の補助吸込口５７に重なる。ファンケーシング６４の送風路７０には補助吹出口カバー６０が取り付けられる。
側面カバー４０の壁面部４４に固定されているモータ取付板５６には、駆動モータ７５、モータケース６２および第２ファンモータ６１が取り付けられ、モータケース６２に対してファンケーシング６４が水平軸線５２回りで回動可能に保持されている。これによりファンユニット５０は補助吸込口５７から室内空気Ｓを吸い込むとともに、ファンユニット５０自体も回動することが可能となる。
【００２９】
＜ファンユニット−回動＞
次にファンユニット５０の回動について説明する。ファンユニット５０は図９（Ａ）の本体ユニット２と前面が同一面の水平状態から図９（Ｂ）の水平線軸５２を中心に前面が下方に３０度回転した状態、さらに図９（Ｃ）の水平線軸５２を中心に前面が下方に最大６０度まで回動することができる。尚、ここでは以下図９（Ａ）から図９（Ｃ）へ前面が下方へ傾斜することを下流とし、逆に前面が上方へ戻ることを上流として説明する。
図８に示す上述した駆動モータ７５の回転によって駆動ギア７４が回転してラック７３を動かし、ラック７３が固定されている第１ファンケーシング６６を回転させ、第１ファンケーシング６６が固定されている第１ファンケース５４を回動させることでファンユニット５０が回動する。ラック７３は水平線軸５２と同心円上に設けられていることで、ファンユニット５０は第２ファンモータ６１を中心に回動しているように視認される。
ファンユニット５０の前方は上述した通り、水平状態では図９（Ａ）のように本体ユニット２と一体となるように形成されている。この状態で側面カバー４に隠されている後方の形状について説明する。
水平状態において第１ファンケース５４は側面カバー４０の天面部４２の前端４２ａと近接する。尚、近接する位置を点Ｔ１とする。これにより水平状態では第１ファンケース５４と側面カバー４０の天面部４２の前端４２ａとの隙間は視認されずに側面カバー４０の内部は在室者からは見えない。
第１ファンケース５４は水平軸線５２から点Ｔ１を結ぶ半径Ｄ１でなる円周Ｅ１に合わせて後方上部５４ａの形状を形成する。円周Ｅ１に合わせて形成される形状は少なくとも点Ｔ１から後方へ向かい円周Ｅ１上で６０度以上の範囲Ｋ１までを形成する。
ファンユニット５０が下流へ回動すると、図８（Ｂ）や図８（Ｃ）において点Ｔ１は前方へ移動し、角度Ｋ１の範囲が側面カバー４０の中から表れる。範囲Ｋ１が前方へ移動しても、第１ファンケース５４と側面カバー４０の天面部４２の前端４２ａとの隙間の間隔は変わらずに側面カバー４０の内部は在室者からは見えない。
【００３０】
水平状態において第１ファンケース５４は側面カバー４０の底面部の前端４３ａと接する。尚、接する位置を点Ｔ２とする。
第１ファンケース５４は水平線軸５２から点Ｔ２を結ぶ半径Ｄ２でなる円周Ｅ２に合わせて後方下部５４ｂの形状を形成する。また、側面カバー４０の内壁部４６は第１ファンケース５４の後方下部５４ｂの形状に合わせた形で形成される。
第１ファンケース５４の後方下部５４ｂと側面カバー４０の内壁部４６が円周Ｅ２に沿って形成されることで、ファンユニット５０が回動しても側面カバー４０の内部の奥までは見えない。
ファンユニット５０が回動すると、点Ｔ２は後方へ移動し、点Ｔ２から円周Ｅ２において前方６０度の範囲Ｋ２に当たる形状５４ｃが側面カバー４０の中に徐々に収容される。
第１ファンケース５４の底面部５４１は水平状態で本体ユニット２と形状を合わせているため、範囲Ｋ２に当たる形状５４ｃは必ずしも円周Ｅ２に合わせた形状とはなっていない。第１ファンケース５４の底面部５４１と交わる範囲Ｋ２に当たる形状５４ｃの終端点Ｔ３は半径Ｄ２よりも大きい半径Ｄ３となる。そこで最大６０度まで第１ファンケース５４を回動させた時に、側面カバー４０の底面部の前端４３ａの端点Ｔ３−１を水平線軸５２からＤ３と同じ半径となるＤ３−１で形成する。内壁部４６は半径Ｄ２から半径Ｄ３−１まで徐々に開く形状とする。
図９（Ｃ）に示すように、ファンユニット５０が最大開度６０度まで回動した時に、終端点Ｔ３は内壁部４６端点Ｔ３−１と重なり、第１ファンケース５４と側面カバー４０との間に隙間が無くなり、側面カバー４０の内部は見えなくなる。また、端点Ｔ３−１でファンユニット５０が押えられることでそれ以上下流へ回動出来ずに位置が規制される。
【００３１】
また、上流への回転の規制は、点Ｔ１から範囲Ｋ１の一方の端点Ｔ４と水平線軸５２を結ぶ線を設ける。その線に合わせて第１ファンケース５４は規制壁５４ｄと、側面カバー４０は内壁部４６の規制壁４６ａを設ける。互いの規制壁５４ｄと規制壁４６ａが当接することで上流への回転を規制することができる。
【００３２】
＜補助吸込口＞
図１０はファンユニット５０を水平線軸５２の水平面で見た断面図である。図７と図１０に示すように、第１ファンケース５４は補助吸込口５７を備える。補助吸込口５７は、室内機１の左右側面の垂直方向から室内空気Ｓを取り込む。
補助吸込口５７は第１ファンケース５４の右側面部８０と一体に形成される補助吸込口部８１の中に設けられる。補助吸込口部８１は水平線軸５２に同軸で右側面部８０に設けた部分円盤状の凸面である。
補助吸込口部８１は、凸面の内側に外周と平行の円状の溝部８２を設ける。さらに溝部８２の内側には、
前記空気調和機が運転停止状態の時に前記ファンユニットの補助吸込口に備えた前記桟は縦方向に延びる位置に配置されていることを特徴とする。
空気調和機１が運転停止状態の時に溝部８２の上端と下端を結び縦方向に延びる位置で左右方向へ平行に複数配置されて形成される桟８３を設ける。桟８３と桟８３の間が補助吸込口５７となる。桟８３と補助吸込口５７が連続する部分を吸込部８５とする。吸込部８５は図７では補助吸込口部８１の中央に位置し左右端に桟の無い平面部を備える。左右に平面部があることで、ファンユニット５０が回動した時に回転角度が分かりやすくなる。また、背面側の平面部８６は平面ではなく平面部８６全体に桟８３を設けてもよい。また、吸込部８５の前面側の平面部は、後述するファンユニット用フィルタ９０の把手９１となる。ファンユニット用フィルタ９０の把手９１と、補助吸込口部８１を合わせて一体的な円盤状と見えるように構成される。
桟８３は、図１０（Ｂ）に示すように、第１ファンケース５４の右側面部８０に表れる表面８３ａと、表面８３ａに対し内側が前面方向へ傾斜した第１傾斜面８３ｂと、第１傾斜面８３ｂの対面となる第２傾斜面８３ｃとで形成される。第１傾斜面８３ｂと第２傾斜面８３ｃは緩やかな凹面を形成する。この構成により在室者が室内機１を正面またはファンユニット５０側の斜め前方から見た時には、補助吸込口５７を第１傾斜面８３ｂが隠すことにより補助吸込口５７の中が視認されなくなり、後述するファンユニット用フィルタ９０や第２送風ファン６３が見えなくなり美観が向上する。
【００３３】
補助吸込口５７はファンユニット５０の第１ファンケース５４と一体に形成されることから、ファンユニット５０が回動すると、図７の桟８３が左右方向へ平行に配置される状態から図１１のように回動角度に合わせて傾斜した平行の配置へと変化する。
図１１はファンユニット５０が下流へ６０度回動した状態であるが、この場合でも在室者は室内機１を下から見上げるため桟８３の角度は在室者の目線と垂直に交わるため、桟８３の傾斜面８３ｂにより補助吸込口５７の中を視認されることはない。
そして、桟８３全体の角度が６０度下流へ傾いていることは、一目見てファンユニット５０が水平状態ではないことが視認できる。昨今の室内機１は空調室に溶け込む色彩が好まれることで略白色であり、これに合わせファンユニット５０も白色で形成される。その場合にはファンユニット５０が回動していても本体ユニット２に色彩が馴染んでしまい回転しているかが分かりにくい。そこで補助吸込口５７の桟８３がファンユニット５０と共に回動することで、回動している角度が視認できるので、在室者に利便性を与えることができる。
【００３４】
ファンユニット用フィルタ９０は、図３に示す第１ファンケーシング５４の補助吸込口部８１の前方のフィルタ取付部７６を入口として第２ファンケーシング６７のガイド部６７ｂに沿って挿入される。ファンユニット用フィルタ９０の把手９１は、補助吸込口部８１と合わせて一体的な円盤状と見えるように構成したことで、ファンユニット用フィルタ９０が目立たなくなり意匠性が向上するとともに、ファンユニット用フィルタ９０の把手９１がすぐ外せる位置にあることでメンテナンス性も向上する。
【００３５】
次にファンユニット５０、５１の効果を説明する。室内機１が運転を開始すると、図５に示すように、上風向板２８ａと下風向板２８ｂが回動し、冷媒と熱交換して冷気または暖気となった空気を空調室に吹き出すとともに、ファンユニット５０、５１が水平線軸５２回りで回動する。その際に補助吹出口５９も上下に変位して補助吹出口５９から吹き出される気流の向きは変更されることができる。補助吹出口５９には補助風向板用モータ７７で変位する補助風向板７８が取り付けられる。補助風向板７８は、補助吹出口５９から吹出される気流の向きを、水平方向に偏向させることができる。
たとえば冷房運転が設定されると、図１２（Ａ）に示すように本体ユニット２から熱交換されて風向板２８で水平方向に吹き出された冷気９５は、室内空気よりも重いため徐々に下降する。その場合にファンユニット５０、５１を吹出口２５よりも下方に向けて補助吸込口５７から室内空気Ｓを吸い込み、補助吹出口５９から下方に向けて吹き出す。室内空気Ｓの流れにより、冷気９５はすぐに下降せずに空調室に広く吹きわたるとともに、在室者Ｍには直接冷気が当たらないことで心地よい涼感を与えることができる。
また、暖房運転が設定されると、図１２（Ｂ）に示すように本体ユニット２から熱交換されて風向板２８で下方方向に吹き出された暖気９６は、室内空気よりも軽いため徐々に上昇する。その場合にファンユニット５０、５１を吹出口２５よりも上方に向けて補助吸込口５７から室内空気Ｓを吸い込み、補助吹出口５９から上方に向けて吹き出す。室内空気Ｓの流れにより、暖気９６はすぐに上昇せずに空調室に広く吹きわたるとともに、在室者Ｍには頭寒足熱となり心地よい暖感を得ることができる。
【符号の説明】
【００３６】
１：空気調和機（室内機）、２：本体ユニット、３０：前面パネル、３１：吸込グリル、３１０：指掛け部、３１１：アーム部、３１２：支軸、４０、４１：側面カバー、４４：壁面部、４５：外壁面部、５０、５１：ファンユニット、５２：水平線軸、５３：第１ファンケース、５７補助吸込口、５９：補助吹出口、６３：第２送風ファン、７０：送風路、７６：フィルタ取付部、７８：補助風向板、８１：補助吸込口部、８３：桟、８５：吸込部、９０：ファンユニット用フィルタ、９１：把手
【図１】
2014126243.tif 000003
【図２】
2014126243.tif 000004
【図３】
2014126243.tif 000005
【図４】
2014126243.tif 000006
【図５】
2014126243.tif 000007
【図６】
2014126243.tif 000008
【図７】
2014126243.tif 000009
【図８】
2014126243.tif 000010
【図９】
2014126243.tif 000011
【図１０】
2014126243.tif 000012
【図１１】
2014126243.tif 000013
【図１２】
2014126243.tif 000014
【図１３】
2014126243.tif 000015